(57)【要約】【課題】シート原稿搬送装置を画像読み取り装置に固定するさいに、画像読み取り装置の構造体の切り起し形状部を使用して、画像読み取り装置に容易にシート原稿搬送装置を固定する画像読み取り装置を提供することにある。【解決手段】シート原稿搬送装置２が取り外し可能な画像読み取り装置１において、前記シート原稿搬送装置２を画像読み取り装置１に固定するさいに、その構造体の切り起し形状部８を用いる。【選択図】      図２
2004357065.tif 000002
【特許請求の範囲】
【請求項１】
シート原稿搬送装置を画像読み取り装置に対して開閉自在に固定する固定機構において、
前記固定機構は、画像読み取り装置側に設けた切り起し形状部及び固定穴と、シート原稿搬送装置側に設けた固定部と、姿勢制御手段と、を備えていることを特徴とする固定機構。
【請求項２】
前記固定部は、その底板に切欠き状のストッパ部と、穴とを備え、
前記姿勢制御手段は、略楕円形の頭部と、該頭部の一端寄り位置から延びるピン形状部材と、を備え、
該ピン形状部材を、前記固定部の穴と、前記画像読み取り装置の固定穴に嵌合させた状態で回動させることにより、姿勢制御手段の頭部の突出端部を前記切り起し形状部に錠止し、画像読み取り装置に対する前記シート原稿搬送装置の上下方向姿勢制御を可能としたことを特徴とする請求項１記載の画像読み取り装置。
【請求項３】
前記固定部の底板に、左右方向姿勢制御のためにストッパ突起を設けたことを特徴とする請求項２記載の画像読み取り装置。
【請求項４】
前記固定部を２個所に設け、前記ストッパ突起を、前記シート原稿搬送装置自体を固定する左右固定部で左右対称形状としたことを特徴とする請求項３記載の画像読み取り装置。
【請求項５】
請求項１乃至４に記載の固定機構を備えたことを特徴とする画像読み取り装置。
【発明の詳細な説明】
【０００１】
【発明の属する技術分野】
本発明は、複写機、ファクシミリ、スキャナ等の画像読み取り装置に関するものである。
【０００２】
【従来の技術】
シート原稿搬送装置を画像読み取り装置に固定するさいに、従来はシート原稿搬送装置の固定部１個所に対し、姿勢制御のためにネジ１個所、固定のためにネジ１個所の締結で行っていた。
【０００３】
【発明が解決しようとする課題】
図６はシート原稿搬送装置を画像読み取り装置に固定する従来の技術を説明する概略斜視図である。画像読み取り装置１にシート原稿搬送装置２を固定するとき、シート原稿搬送装置２に固定された左右の固定部（ヒンジ部）３を固定用ネジ４と姿勢制御用ネジ５によってそれぞれ１箇所（左右で２箇所）で画像読み取り装置１に固定されている。
このさい、とくに固定用ネジ４を斜めに取り付けてしまうと、ネジが折れたり、ネジ山を潰してしまい、ネジおよび画像読み取り装置の構造体（フレーム）を交換しなければ使用できない状況（補修できない状況）になる。
そこで本発明の目的は、上記の問題点を解決するために、シート原稿搬送装置を画像読み取り装置に固定するさいに、画像読み取り装置の構造体の切り起し形状部を使用して、画像読み取り装置に容易にシート原稿搬送装置を固定する画像読み取り装置を提供することにある。
【０００４】
【課題を解決するための手段】
前記の課題を解決するために、請求項１記載の発明は、シート原稿搬送装置を画像読み取り装置に対して開閉自在に固定する固定機構において、前記固定機構は、画像読み取り装置側に設けた切り起し形状部及び固定穴と、シート原稿搬送装置側に設けた固定部と、姿勢制御手段と、を備えていることを特徴とする。
請求項２の発明は、請求項１において、前記固定部は、その底板に切欠き状のストッパ部と、穴とを備え、前記姿勢制御手段は、略楕円形の頭部と、該頭部の一端寄り位置から延びるピン形状部材と、を備え、該ピン形状部材を、前記固定部の穴と、前記画像読み取り装置の固定穴に嵌合させた状態で回動させることにより、姿勢制御手段の頭部の突出端部を前記切り起し形状部に錠止し、画像読み取り装置に対する前記シート原稿搬送装置の上下方向姿勢制御を可能としたことを特徴とする。
請求項３の発明は、請求項２において、前記固定部の底板に、左右方向姿勢制御のためにストッパ突起を設けたことを特徴とする。
請求項４の発明は、請求項３において、前記固定部を２個所に設け、前記ストッパ突起を、前記シート原稿搬送装置自体を固定する左右固定部で左右対称形状としたことを特徴とする。
請求項５の発明は、請求項１乃至４の固定機構を備えたことを特徴とする。
【０００５】
【発明の実施の形態】
以下、図面により本発明の実施の形態を詳細に説明する。図１は本発明を実施する固定機構を備えた画像読み取り装置を示す概略斜視図である。かかる画像読み取り装置１はシート原稿搬送装置２およびこれを画像読み取り装置１に固定する左右の固定部３（３Ｌ、３Ｒ）を有している。固定部３はヒンジ構造を備えているため、画像読取り装置１上にシート原稿搬送装置２を開閉自在に支持することが可能となる。
図２は本発明による画像読み取り装置へのシート原稿搬送装置の固定機構の第１の実施の形態を説明する概略斜視図である。図１および図２において、シート原稿搬送装置２を画像読み取り装置１上に固定するための固定用ネジを画像読み取り装置１の構造体（フレーム）１ａに設けた切り起し形状部８としている。切り起し形状部８は、構造体１ａの上面を構成する板金の一部に所要形状の切り込みを形成してから所要形状に折り曲げて突出させたものである。切り起し形状部８の近傍には姿勢制御用ネジ（姿勢制御手段）５のネジ部が螺合される固定穴１ｂ（ネジ穴）が形成されている。
シート原稿搬送装置２の左右の固定部３の底板には、切り起し形状部８に対応する位置に切欠き状のストッパ部７が形成されており、固定穴１ｂと対応する穴３ａが形成されている。姿勢制御用ネジ５を固定穴１ｂに螺合した際に、ストッパ部７が切り起し形状部８の水平部８ａの下方に位置することとなる。
ここで、シート原稿搬送装置２の左右の固定部３のストッパ部形状７は、左右対称形状とし、シート原稿搬送装置２を画像読み取り装置１上に固定して設置する。
固定部３と、切り起し部８、及び固定穴１ｂ、姿勢制御手段５は、固定機構を構成している。
【０００６】
図３は本発明による画像読み取り装置へのシート原稿搬送装置の固定機構の第２の実施の形態を説明する概略斜視図である。図１および図３において、姿勢制御手段６の先端部をピン形状部６ｂとし、且つ頭部を小判状（楕円形状）とする。姿勢制御手段６は頭部６ａの一端寄りに偏って固定する。ピン形状部６ｂを固定穴１ｂ内に嵌合させた状態でこのピン形状の姿勢制御手段６の頭部６ａを回転させると、画像読み取り装置１の構造体（フレーム）１ａの切り起し形状部８の水平部８ａの上面（或いは下面）に錠止することができる。即ち、姿勢制御手段材６の頭部６ａの突出端部をシート原稿搬送装置２の固定部３に設けられたストッパ部７まで回転し、画像読み取り装置１の構造体（フレーム）１ａの切り起し形状部８に錠止する。
この場合に姿勢制御手段６の頭部６ａの形状は回転させ易い楕円形状部分となっている。これによって上記従来の不具合を解消し、さらに容易にシート原稿搬送装置２を画像読み取り装置１に固定することができる。
図４は本発明による画像読み取り装置へのシート原稿搬送装置の固定の第３の実施の形態を説明する概略斜視図である。図１および図４において、シート原稿搬送装置固定部３（３Ｌ）の切欠き状のストッパ部７の一方の縁部に沿って姿勢制御手段６の頭部６ａに対するストッパ突起９を設けている。
これによって、シート原稿搬送装置２と画像読み取り装置１の左右方向姿勢制御を確実にし、シート原稿搬送装置固定部３の姿勢制御のための姿勢制御手段６を錠止する。なお、図４は図１において左側の固定部３Ｌを示している。
したがって、画像読み取り装置１の構造体（フレーム）１ａの切り起し形状部８とシート原稿搬送装置２の固定部分３の結合がより確実にかつ正確に行われ、錠止解除の危険が低減される。
【０００７】
図５は本発明による画像読み取り装置へのシート原稿搬送装置の固定の第４の実施の形態を説明する概略斜視図である。図１および図５において、シート原稿搬送装置固定部３に姿勢制御手段６の頭部に対するストッパ突起１０を設けている。
これによって、シート原稿搬送装置２と画像読み取り装置１の左右方向姿勢制御を確実にし、シート原稿搬送装置固定部３の姿勢制御のための姿勢制御手段６を錠止する。なお、図５は図１において右側の固定部３Ｒを示している。
したがって、画像読み取り装置１の構造体（フレーム）１ａの切り起し形状部８とシート原稿搬送装置２の固定部分３の結合がより確実にかつ正確に行われ、錠止解除の危険が低減される。
さらに、図４の第３の実施の形態と組み合わせると、シート原稿搬送装置２の固定部３（左右２個所に対して）で姿勢制御手段６の頭部６ａに対するストッパ突起９、１０は左右対称形状となる。
これによって、シート原稿搬送装置２自体の左右方向姿勢制御をさらに確実にし、画像読み取り装置１の構造体（フレーム）１ａの切り起し形状部８との錠止から外れることが無いようにすることができる。
なお、本発明の固定機構を適用できる画像読み取り装置は、例えば筐体の上面に配置したコンタクトガラスと、コンタクトガラスの直下に配置された読み取り光学系等を備えており、シート原稿搬送装置は筐体上面に対して開閉自在に固定される。
【０００８】
【発明の効果】
以上説明したように、請求項１によれば、シート原稿搬送装置を画像読み取り装置に固定する固定用ネジを画像読み取り装置の構造体（フレーム）の切り起し形状部を使用することにより、従来の不具合を解消し、容易にシート原稿搬送装置を画像読み取り装置に固定することが可能となる。
請求項２によれば、姿勢制御手段をピン形状とし、このピン形状の姿勢制御手段の頭部を回転させて画像読み取り装置の構造体（フレーム）の切り起し形状部に錠止することができる形状とすることにより、上記従来の不具合を解消し、さらに容易にシート原稿搬送装置を画像読み取り装置に固定することが可能となる。
請求項３によれば、シート原稿搬送装置固定部にピン形状の姿勢制御手段の頭部に対するストッパ突起を設けることにより、シート原稿搬送装置と画像読み取り装置の左右方向姿勢制御を確実にし、シート原稿搬送装置固定部の姿勢制御の為の姿勢制御手段を錠止するための画像読み取り装置の構造体（フレーム）の切り起し形状部との錠止から外れることが無いようにすることが可能となる。
請求項４によれば、シート原稿搬送装置固定部（左右２個所に対して）に姿勢制御手段の頭部に対するストッパ突起を左右対称形状とすることにより、シート原稿搬送装置自体の左右方向姿勢制御をさらに確実にし、画像読み取り装置の構造体（フレーム）の切り起し形状部との錠止から外れることが無いようにすることが可能となる。
【図面の簡単な説明】
【図１】本発明を実施する画像読み取り装置示す概略斜視図である。
【図２】本発明による画像読み取り装置へのシート原稿搬送装置の固定の第１の実施の形態を説明する概略斜視図である。
【図３】本発明による画像読み取り装置へのシート原稿搬送装置の固定の第２の実施の形態を説明する概略斜視図である。
【図４】本発明による画像読み取り装置へのシート原稿搬送装置の固定の第３の実施の形態を説明する概略斜視図である。
【図５】本発明による画像読み取り装置へのシート原稿搬送装置の固定の第４の実施の形態を説明する概略斜視図である。
【図６】シート原稿搬送装置を画像読み取り装置に固定する従来の技術を説明する概略斜視図である。
【符号の説明】
１    画像読み取り装置
１ａ  フレーム（構造体）
２    シート原稿搬送装置
３    シート原稿搬送装置固定部
４    固定用ネジ
５    姿勢制御用ネジ
６    姿勢制御用ピン
７    ストッパ部
８    構造体の切り欠き部
９    ストッパ突起
１０    ストッパ突起
【図１】
2004357065.tif 000003
【図２】
2004357065.tif 000004
【図３】
2004357065.tif 000005
【図４】
2004357065.tif 000006
【図５】
2004357065.tif 000007
【図６】
2004357065.tif 000008